(57)【要約】      （修正有）【課題】レンズブリーチロッキング装置を提供する。【解決手段】かかるレンズブリーチロッキング装置は、レンズ１及びアダプタ２を含み、アダプタ２には、レンズ１を置くためのレンズ設置凹部３が設けられ、レンズ設置凹部３には、レンズ１のアダプタ２上での位置を調整し且つ爪４を有する垂直フォークフランジが複数取り付けられ、爪４は、垂直フォークフランジのベースプレートとレンズ設置凹部３の底部との間に位置する。【選択図】図１
0003223840.tif 000002
【実用新案登録請求の範囲】
【請求項１】
レンズブリーチロッキング装置であって、
レンズ(1)及びアダプタ(2)を含み、
前記アダプタ(2)には、レンズ(1)を置くためのレンズ設置凹部(3)が設けられ、
前記レンズ設置凹部(3)には、レンズ(1)の、アダプタ(2)における位置を調節し、且つ爪(4)を有する垂直フォークフランジ(5)が複数取り付けられ、
前記爪(4)は、垂直フォークフランジ(5)のベースプレート(13)と、レンズ設置凹部(3)の底部との間に位置する、レンズブリーチロッキング装置。
【請求項２】
請求項1に記載のレンズブリーチロッキング装置であって、
前記垂直フォークフランジ(5)は、4つあり、4つの垂直フォークフランジ(5)は、等間隔に設けられ、且つ4つの垂直フォークフランジ(5)は、全体的に環状にアレンジされる、レンズブリーチロッキング装置。
【請求項３】
請求項1又は2に記載のレンズブリーチロッキング装置であって、
前記レンズ設置凹部(3)には、更に、爪(5)の下方に位置する摩擦ロッキングリング(6)が取り付けられ、
摩擦ロッキングリング(6)の中央部には、アダプタ(2)をロッキングするためのアダプタブラケット(7)が接続され、アダプタブラケット(7)の中央部には、レンズを置くためのレンズ位置決め孔(8)が設けられる、レンズブリーチロッキング装置。
【請求項４】
請求項3に記載のレンズブリーチロッキング装置であって、
前記アダプタブラケット(7)には、更に、複数のレンズ位置決め孔(9)及びボルト取り付け孔(10)が設けられる、レンズブリーチロッキング装置。
【請求項５】
請求項3に記載のレンズブリーチロッキング装置であって、
前記レンズ(1)の頂部には、更に、垂直フォークフランジ(5)のベースプレートに置かれる底板(11)が設けられる、レンズブリーチロッキング装置。
【考案の詳細な説明】
【技術分野】
【０００１】
本考案は、レンズをロッキングする構造に関し、特に、レンズブリーチロッキング装置(lens  breech  locking  element)に関する。
【背景技術】
【０００２】
今のところ、人々がカメラや撮影機のレンズブリーチロック(lens  breech  lock)をインストールするときに、従来技術では、バヨネット式マウントベースを用いて、カメラ又は撮影機のレンズをアダプタ／カメラ／撮影機にロッキングする。バヨネット式マウントベースによりカメラ又は撮影機のレンズを取り付けるときに、レンズとアダプタの接触面との間に摩擦があるから、長時間使用後、レンズと、アダプタ／カメラ／撮影機との間に隙間が生じ、バヨネット式マウントベース上の、レンズをロッキングするための構造が薄くなり、これにより、ピントを合わせることができず、イメージセンサに鮮明な画像を提供することができなくなる可能性がある。よって、それを改良する必要がある。
【考案の概要】
【考案が解決しようとする課題】
【０００３】
上述の問題を鑑み、本考案の目的は、レンズブリーチロッキング装置を提供することにある。
【課題を解決するための手段】
【０００４】
上述の目的を達成するために、本考案の実施例によれば、レンズブリーチロッキング装置が提供され、それは、レンズ及びアダプタを含み、前記レンズを設置するためのレンズ設置凹部には、レンズのアダプタ上での位置を調節し且つ爪を有する垂直フォークフランジ（fork  flange）が複数取り付けられ、前記爪は、垂直フォークフランジのベースプレートとレンズ設置凹部の底部との間に位置する。
【０００５】
上述のレンズブリーチロッキング装置では、前記垂直フォークフランジは、4つあり、4つの垂直フォークフランジは、等間隔に設けられ、且つ4つの垂直フォークフランジは、全体的に、環状にアレンジされる。
【０００６】
上述のレンズブリーチロッキング装置では、前記レンズ設置凹部内には、更に、爪の下方に位置する摩擦ロッキングリングが取り付けられ、摩擦ロッキングリングの中央部には、アダプタをロッキングするためのアダプタブラケットが接続され、アダプタブラケットの中央部には、レンズを設置するためのレンズ位置決め孔がある。
【０００７】
上述のレンズブリーチロッキング装置では、前記アダプタブラケットには、更に、複数のレンズ位置決め孔及びボルト取り付け孔が設けられる。
【０００８】
上述のレンズブリーチロッキング装置では、前記レンズの頂部には、更に、垂直フォークフランジのベースプレートに置かれる底板が設けられる。
【０００９】
本考案では、アダプタ／カメラ／撮影機のレンズ設置凹部に4つの垂直フォークフランジを増設し、垂直フォークフランジによりレンズをリミット（limit）することで、レンズをアダプタにより良くロッキングすることができる。
【００１０】
また、摩擦ロッキングリングを用いて、アダプタブラケット（カメラ／撮影機のブラケット）をレンズ設置凹部内の適切な位置にロッキングするときに、レンズにおける底板を垂直フォークフランジに直接置くことができ、且つレンズとアダプタとの間に適切な距離を持たせることができる。
【図面の簡単な説明】
【００１１】
【図１】本考案におけるレンズブリーチロッキング装置の構造を示す図である。
【図２】レンズとアダプタとの接続箇所の構造を示す図である。
【図３】アダプタの構造を示す図である。
【考案を実施するための形態】
【００１２】
以下、添付した図面を参照しながら、本考案を実施するための好適な形態を詳細に説明する。
【００１３】
本考案が解決しようとする技術解題は、次の通りである。即ち、従来技術では、バヨネット式マウントベースにより、カメラ又は撮影機のレンズブリーチロックを取り付ける。このような従来技術では、長時間使用後、レンズとアダプタ／カメラ／撮影機との間に隙間が生じ、バヨネット式マウントベースにおける、レンズをロッキングするための構造が薄くなり、これにより、焦点を合せることができず、イメージセンサに鮮明な画像を提供することができなくなる恐れがある。このような技術課題に鑑み、本考案の技術思想は、次の通りである。即ち、本考案では、レンズ設置凹部内に垂直フォークフランジを設け、垂直フォークフランジによりレンズをリミットすることで、レンズに対してのロッキングを実現する。
【００１４】
本考案の目的や技術的特徴、利点などをより明確にするために、以下、実施例を挙げて、添付した図面を参照することにより、詳細に説明する。
【００１５】
本実施例では、レンズブリーチロッキング装置が提供され、それは、レンズ1及びアダプタ2を含む。図3に示すように、従来のレンズ1における部品12がアダプタ2に組み立てられ、長時間使用後（数年かかる可能性がある）、レンズ1とアダプタ2との間における接触面間の摩擦の作用により、レンズ1における部品12が薄くなり、これにより、レンズ1とアダプタ2との間に隙間が存在し、レンズ1とアダプタ2との間に緩みが生じ、そのため、焦点を合せることができず、イメージセンサに鮮明な画像を提供することができなくなる。
【００１６】
レンズがアダプタに組み立てられ、長時間使用後、緩みが生じやすいという従来の問題に鑑み、本実施例では、従来のアダプタ2に垂直フォークフランジを増設し、垂直フォークフランジにより、レンズのアダプタ／カメラ／撮影機上での位置を制御し、レンズ1とアダプタ2との間における接触面間の摩擦の作用による影響を減らすことで、レンズブリーチロックに対してのロッキングを実現する。
【００１７】
具体的には、図1及び図2に示すように、本実施例では、垂直フォークフランジ5は、アダプタ2におけるレンズ設置凹部3の入口のところに位置し、垂直フォークフランジ5は、爪付きフランジであり、且つ複数設けられても良い。レンズ設置凹部3には、レンズ1のアダプタ2上での位置を調整するための複数の垂直フォークフランジ5が取り付けられる。また、レンズ1をより良くロッキングするために、図2に示すように、爪4は、垂直フォークフランジ5のベースプレート13と、レンズ設置凹部3の底部との間に位置する（即ち、爪は、レンズ設置凹部3の底部に面して設けられる）。
【００１８】
実施するにあたって、垂直フォークフランジは、3つ乃至5つあり（好ましくは、4つある）、すべての垂直フォークフランジは、全体的に、環状にアレンジされ、且つ隣接する2つの垂直フォークフランジの間の間隔が等しい（即ち、等間隔に設けられる）。このように、4つの垂直フォークフランジの新しいデザインを採用することで、レンズをアダプタ／撮影機／撮影機に直接的又は間接的に置くことができる。
【００１９】
レンズの位置決めを実現するために、レンズ設置凹部3には、更に、爪5の下方に位置する摩擦ロッキングリング6が取り付けられ、摩擦ロッキングリング6の中央部には、アダプタ2をロッキングするためのアダプタブラケット7が接続され、アダプタブラケット7の中央部には、レンズを設置するためのレンズ位置決め孔8が設けられる。このように、レンズは、摩擦ロッキングリング6によってアダプタに置くことができる。
【００２０】
実施するにあたって、レンズをより一層リミットし得るために、アダプタ2のブラケット7には、更に、複数のレンズ位置決め孔9及びボルト取り付け孔10が設置される。
【００２１】
また、レンズ及びアダプタをより良くインストールし得るために、レンズ1の頂部には、更に、垂直フォークフランジ5のベースプレートに置かれる底板11が設けられ、底板11は、適切なフランジ距離（flange  distance）を以て、アダプタ／カメラ／撮影機の垂直フォークフランジに設置することができる。
【００２２】
以上、本考案の好ましい実施形態を説明したが、本考案はこの実施形態に限定されず、本考案の趣旨を離脱しない限り、本考案に対するあらゆる変更は本考案の技術的範囲に属する。
【図１】
0003223840.tif 000003
【図２】
0003223840.tif 000004
【図３】
0003223840.tif 000005